(57)【要約】【課題】汎用の高周波アナログ部品を用いて様々な帯域幅の様々な無線信号のセンシングを行う。【解決手段】受信信号を増幅して出力する低雑音増幅器と、低雑音増幅器から出力される信号を周波数変換して出力する複数の第１の周波数変換器と、複数の第１の周波数変換器それぞれに一つずつ接続されたフィルタであって周波数変換器から出力される信号に対する通過帯域幅が異なるフィルタと、複数の第１の周波数変換器それぞれに周波数が異なる局部発振信号を供給する局部発振信号生成器とを備える。【選択図】図２
2014241542.tif 000002
【特許請求の範囲】
【請求項１】
受信信号を増幅して出力する低雑音増幅器と、
前記低雑音増幅器から出力される信号を周波数変換して出力する複数の第１の周波数変換器と、
前記複数の第１の周波数変換器それぞれに一つずつ接続されたフィルタであって前記第１の周波数変換器から出力される信号に対する通過帯域幅が異なるフィルタと、
前記複数の第１の周波数変換器それぞれに周波数が異なる局部発振信号を供給する局部発振信号生成器と
を備えることを特徴とする無線受信機。
【請求項２】
請求項１に記載の無線受信機において、
前記フィルタそれぞれから出力される信号を合成し、合成された信号を中間周波数帯に周波数変換する第２の周波数変換器
を更に備えることを特徴とする無線受信機。
【請求項３】
請求項１に記載の無線受信機において、
前記フィルタそれぞれに接続された第２の周波数変換器であって、接続された前記フィルタから出力される信号を中間周波数帯に周波数変換する第２の周波数変換器
を更に備えることを特徴とする無線受信機。
【請求項４】
受信信号を増幅して出力する低雑音増幅器と、
前記低雑音増幅器から出力される信号を周波数変換して出力する複数の第１の周波数変換器と、
前記複数の第１の周波数変換器それぞれに一つずつ接続されたフィルタであって前記第１の周波数変換器から出力される信号に対する通過帯域幅が異なるフィルタと、
前記複数の第１の周波数変換器それぞれに周波数が異なる局部発振信号を供給する局部発振信号生成器と
を備えることを特徴とするＲＦフロントエンド。
【請求項５】
受信信号を増幅して出力する低雑音増幅ステップと、
周波数が異なる局部発振信号を生成する局部発振信号生成ステップと、
前記低雑音増幅ステップにおいて出力される信号に対して、前記周波数が異なる局部発振信号ごとに、当該局部発振信号を用いて周波数変換をして出力する第１の周波数変換ステップと、
前記第１の周波数変換ステップにおける周波数変換で得られた信号ごとに、当該信号から異なる帯域幅の信号を抽出するフィルタリングステップと
を有することを特徴とする信号処理方法。
【発明の詳細な説明】
【技術分野】
【０００１】
本発明は、無線受信機、ＲＦフロントエンド、及び信号処理方法に関する。
【背景技術】
【０００２】
様々な帯域幅の無線通信信号を広くセンシングする無線受信機では、ＲＦ（Radio Frequency；無線周波数)帯又はＩＦ（Intermediate Frequency；中間周波数）帯の帯域通過フィルタ（あるいは低域通過フィルタ）の通過帯域幅を可変にする必要があった。もしくは、固定の複数の帯域通過フィルタ（あるいは低域通過フィルタ）を用い、フィルタリングしたあとに波形を合成する、あるいはフィルタをスイッチで切り替えて選択する必要があった。このうち、ＲＦ帯のフィルタをスイッチで切り替える構成が非特許文献１のＦｉｇ１（２４３頁）に記載されている。
【先行技術文献】
【非特許文献】
【０００３】
【非特許文献１】Munenori Kawashima, Yo Yamaguchi, Kenjiro Nishikawa and Kazuhiro Uehara, "Broadband Low Noise Amplifier with High Linearity for Software-Defined Radios," Proceedings of the 2nd European Microwave Integrated Circuits Conference, pp.243-246, 2007
【発明の概要】
【発明が解決しようとする課題】
【０００４】
しかしながら、様々な帯域幅の様々な無線信号のセンシングを行うためには、汎用の高周波アナログ部品のみを組み合わせた構成では困難であり、可変帯域フィルタ、あるいは、信号の分割や合成といったデジタル信号処理技術を用いる必要があるという課題があった。
【０００５】
上記事情に鑑み、本発明は、汎用の高周波アナログ部品を用いて様々な帯域幅の様々な無線信号のセンシングを行うことができる無線受信機、ＲＦフロントエンド、及び信号処理方法を提供することを目的としている。
【課題を解決するための手段】
【０００６】
本発明の一態様は、受信信号を増幅して出力する低雑音増幅器と、前記低雑音増幅器から出力される信号を周波数変換して出力する複数の第１の周波数変換器と、前記複数の第１の周波数変換器それぞれに一つずつ接続されたフィルタであって前記第１の周波数変換器から出力される信号に対する通過帯域幅が異なるフィルタと、前記複数の第１の周波数変換器それぞれに周波数が異なる局部発振信号を供給する局部発振信号生成器とを備えることを特徴とする無線受信機である。
【０００７】
また、本発明の一態様は、前述の無線受信機において、前記フィルタそれぞれから出力される信号を合成し、合成された信号を中間周波数帯に周波数変換する第２の周波数変換器を更に備えることを特徴とする。
また、本発明の一態様は、前述の無線受信機において、前記フィルタそれぞれに接続された第２の周波数変換器であって、接続された前記フィルタから出力される信号を中間周波数帯に周波数変換する第２の周波数変換器を更に備えることを特徴とする。
【０００８】
また、本発明の一態様は、受信信号を増幅して出力する低雑音増幅器と、前記低雑音増幅器から出力される信号を周波数変換して出力する複数の第１の周波数変換器と、前記複数の第１の周波数変換器それぞれに一つずつ接続されたフィルタであって前記第１の周波数変換器から出力される信号に対する通過帯域幅が異なるフィルタと、前記複数の第１の周波数変換器それぞれに周波数が異なる局部発振信号を供給する局部発振信号生成器とを備えることを特徴とするＲＦフロントエンドである。
【０００９】
また、本発明の一態様は、受信信号を増幅して出力する低雑音増幅ステップと、周波数が異なる局部発振信号を生成する局部発振信号生成ステップと、前記低雑音増幅ステップにおいて出力される信号に対して、前記周波数が異なる局部発振信号ごとに、当該局部発振信号を用いて周波数変換をして出力する第１の周波数変換ステップと、前記第１の周波数変換ステップにおける周波数変換で得られた信号ごとに、当該信号から異なる帯域幅の信号を抽出するフィルタリングステップとを有することを特徴とする信号処理方法である。
【発明の効果】
【００１０】
本発明により、受信信号に含まれる様々な帯域幅の無線信号に対して、当該無線信号の帯域幅に対応するフィルタの通過帯域に周波数変換されるように当該フィルタに接続された周波数変換器に局部発振信号を供給すれば、可変帯域フィルタやデジタル信号処理技術を用いることなく、様々な帯域幅の無線信号のセンシングを行うことができる。
【図面の簡単な説明】
【００１１】
【図１】第１の実施形態における無線受信機１の構成例を示すブロック図である。
【図２】同実施形態におけるＲＦフロントエンド１２の構成例を示すブロック図である。
【図３】同実施形態におけるＲＦフロントエンド１２における処理の概要を示す図である。
【図４】第２の実施形態におけるＲＦフロントエンド２２の構成例を示す図である。
【図５】同実施形態におけるＲＦフロントエンド２２における処理の概要を示す図である。
【発明を実施するための形態】
【００１２】
以下、図面を参照して、本発明に係る実施形態における無線受信機、ＲＦフロントエンド、及び信号処理方法を説明する。
【００１３】
＜第１の実施形態＞
図１は、第１の実施形態における無線受信機１の構成例を示すブロック図である。無線受信機１は、例えば、広帯域に亘って電波状況をセンシングする装置である。無線受信機１は、アンテナ１１と、ＲＦフロントエンド１２と、信号処理部１３とを備えている。ＲＦフロントエンド１２は、アンテナ１１で受信したＲＦ信号からセンシング対象となる周波数帯の無線信号を抽出し、ベースバンド帯域にダウンコンバートして信号処理部１３に出力する。信号処理部１３は、ＲＦフロントエンド１２から出力される信号に対して所定の信号処理を施すことにより、当該無線信号の周波数帯における電波状況や、当該周波数帯域の利用状況などを検出する。
【００１４】
図２は、本実施形態におけるＲＦフロントエンド１２の構成例を示すブロック図である。ＲＦフロントエンド１２は、ＲＦ信号入力端子１２１、広帯域低雑音増幅器１２２、局部発振信号生成器１２３、ミキサ１２４ａ〜１２４ｃ、帯域通過フィルタ１２５ａ〜１２５ｃ、可変増幅器１２６ａ〜１２６ｃ、局部発振信号生成器１２７、ミキサ１２８、及び、ＩＦ信号出力端子１２９を備えている。
【００１５】
ＲＦ信号入力端子１２１にはアンテナ１１で受信された信号が受信信号として入力される。受信信号にはセンシング対象の無線信号が含まれる。広帯域低雑音増幅器１２２は、ＲＦ信号入力端子１２１に入力された受信信号を増幅し、増幅した受信信号をミキサ１２４ａ〜１２４ｃに入力する。
【００１６】
局部発振信号生成器１２３は、センシング対象の無線信号を特定周波数帯に周波数変換するための局部発振信号を生成し、生成した局部発振信号をミキサ１２４ａ〜１２４ｃに供給する。ミキサ１２４ａ〜１２４ｃに入力する局部発振信号それぞれは、特定周波数帯に周波数変換する無線信号が異なるため、互いに異なる周波数の信号となる。特定周波数帯は、帯域通過フィルタ１２５ａ〜１２５ｃの中心周波数及び通過帯域幅に基づいて予め定められている。
【００１７】
ミキサ１２４ａは、広帯域低雑音増幅器１２２において増幅された受信信号と、局部発振信号生成器１２３から入力される局部発振信号とを乗算し、乗算により得られた信号を帯域通過フィルタ１２５ａに出力する。ミキサ１２４ｂとミキサ１２４ｃも、ミキサ１２４ａと同様に、広帯域低雑音増幅器１２２において増幅された受信信号と、局部発振信号生成器１２３から入力される局部発振信号とを乗算し、乗算により得られた信号を帯域通過フィルタ１２５ｂ、帯域通過フィルタ１２５ｃに出力する。ミキサ１２４ａ〜１２４ｃは、局部発振信号との乗算により、受信信号に含まれる複数の無線信号のうちセンシング対象となる無線信号を帯域通過フィルタ１２５ａ〜１２５ｃの通過帯域に周波数変換（アップコンバート）する。
【００１８】
帯域通過フィルタ１２５ａは、ミキサ１２４ａにおいて周波数変換された信号のうち、予め定められた通過帯域の周波数成分の信号を可変増幅器１２６ａに出力する。帯域通過フィルタ１２５ｂと帯域通過フィルタ１２５ｃは、帯域通過フィルタ１２５ａと同様に、ミキサ１２４ｂ、ミキサ１２４ｃにおいて周波数変換された信号のうち、通過帯域の周波数成分の信号を可変増幅器１２６ｂ、可変増幅器１２６ｃに出力する。
【００１９】
帯域通過フィルタ１２５ａ〜１２５ｃの通過帯域は、互いに重複しないように予め定められている。また、帯域通過フィルタ１２５ａ〜１２５ｃの通過帯域の帯域幅はセンシング対象となる無線信号の帯域幅に基づいて予め定められており、それぞれの通過帯域の帯域幅は異なっている。本実施形態では、帯域通過フィルタ１２５ａが他に比べ広い通過帯域幅を有し、帯域通過フィルタ１２５ｃが他に比べ狭い通過帯域幅を有し、帯域通過フィルタ１２５ｂが中程度の通過帯域幅を有するものとして説明する。また、各通過帯域は、信号処理部１３に出力する前にＩＦ帯にダウンコンバートする際にまとめて周波数変換できるように近傍に予め定められている。
【００２０】
可変増幅器１２６ａは、帯域通過フィルタ１２５ａから出力される信号の電力レベル（尖頭値又は波高値）を所定のレベルにするように増幅する。可変増幅器１２６ｂと可変増幅器１２６ｃは、可変増幅器１２６ａと同様に、帯域通過フィルタ１２５ｂ、帯域通過フィルタ１２５ｃから出力される信号の電力レベルを所定の電力レベルにするように増幅する。所定の電力レベルは、後段の処理（例えば、信号処理部１３における処理）に要求に応じて定められる。
【００２１】
局部発振信号生成器１２７は、可変増幅器１２６ａ〜１２６ｃにおいて増幅された信号それぞれをＩＦ帯に周波数変換するための局部発振信号を生成し、生成した局部発振信号をミキサ１２８に供給する。
【００２２】
ミキサ１２８は、可変増幅器１２６ａ〜１２６ｃにおいて増幅された信号を合わせた信号と、局部発振信号生成器１２７から入力される局部発振信号とを乗算し、乗算により得られた信号をＩＦ信号出力端子１２９から信号処理部１３に出力する。ミキサ１２８は、局部発振信号との乗算により、可変増幅器１２６ａ〜１２６ｃから出力される信号を一括してＩＦ帯にダウンコンバートする。
【００２３】
図３は、本実施形態におけるＲＦフロントエンド１２における処理の概要を示す図である。同図において横軸は周波数を示し縦軸は電力レベルを示している。図３（Ａ）は、広周波数範囲の受信信号に含まれる異なる帯域幅及び周波数の無線信号を示している。同図に示すように、周波数の高い順に、中程度の帯域幅の無線信号、広い帯域幅の無線信号、狭い帯域幅の無線信号が広周波数範囲の受信信号に含まれている。
【００２４】
局部発振信号生成器１２３は、各無線信号を、それぞれの帯域幅に応じた帯域通過フィルタ１２５ａ〜１２５ｃの通過帯域に周波数変換されるように、ミキサ１２４ａ〜１２４ｃそれぞれに出力する局部発振信号の周波数を決定し、ミキサ１２４ａ〜１２４ｃに局部発振信号を入力する。局部発振信号生成器１２３においては、センシング対象となる無線信号ごとに局部発振信号の周波数を記憶しているテーブルを予め設け、センシング対象の無線信号に応じた局部発振信号の周波数を当該テーブルから取得するようにしてもよい。
【００２５】
また、このテーブルに、無線信号ごとに帯域通過フィルタ１２５ａ〜１２５ｃのいずれを用いるかを示す情報を含めるようにしてもよい。この場合、局部発振信号生成器１２３は、センシング対象の無線信号の周波数及び帯域幅とテーブルとに基づいて、局部発振信号の周波数と当該局部発振信号の供給先とを選択することになる。あるいは、広い周波数帯に対して各帯域通過フィルタ１２５ａ〜１２５ｃを試すようにミキサ１２４ａ〜１２４ｃそれぞれに供給する局部発振信号の周波数を同期させて連続的に変化させるようにしてもよい。
【００２６】
局部発振信号生成器１２３から出力される各局部発振信号を用いて、ミキサ１２４ａ〜１２４ｃが受信信号を周波数変換することにより、受信信号に含まれていた各無線信号が、帯域幅（チャネル幅）に応じた帯域通過フィルタ１２５ａ〜１２５ｃの通過帯域にアップコンバートされる。また、図３（Ｂ）に示すように帯域通過フィルタ１２５ａ〜１２５ｃの後段にも受けられている可変増幅器１２６ａ〜１２６ｃにおいて各信号の電力レベルを揃える。
【００２７】
可変増幅器１２６ａ〜１２６ｃにおいて電力レベルが揃えられた各信号は、ミキサ１２８において局部発振信号生成器１２７が出力する局部発振信号との乗算によりＩＦ帯（又はベースバンド（ＢＢ）帯）の信号にダウンコンバートされる。
【００２８】
本実施形態におけるＲＦフロントエンド１２では、周波数帯及び周波数帯域幅が異なる複数の帯域通過フィルタ１２５ａ〜１２５ｃを設け、受信した受信信号を３つに分岐させてそれぞれ異なる周波数変換器（ミキサ１２４ａ〜１２４ｃ）に入力し、センシング対象の無線信号を対応する通過帯域幅を有する帯域通過フィルタ１２５ａ〜１２５ｃの中心周波数に合うように周波数変換する。これにより、帯域可変フィルタや、受信信号の分割及び合成を用いることなく、汎用の高周波アナログ部品を用いた構成のＲＦフロントエンド１２を用いることにより、様々な帯域幅の無線信号のセンシングを可能とすることができる。
【００２９】
なお、イメージ信号の影響を避けるためには、ミキサ１２４ａ〜１２４ｃにおける周波数変換ではアップコンバートを行うことが望ましいが、ダウンコンバートを行うようにしてもよい。この場合、帯域通過フィルタ１２５ａ〜１２５ｃの中心周波数は無線信号の周波数より低い周波数となる。
【００３０】
＜第２の実施形態＞
図４は、第２の実施形態におけるＲＦフロントエンド２２の構成例を示す図である。ＲＦフロントエンド２２は、第１の実施形態におけるＲＦフロントエンド１２に代えて無線受信機１で用いられる。ＲＦフロントエンド２２は、ＲＦ信号入力端子１２１、広帯域低雑音増幅器１２２、局部発振信号生成器１２３、ミキサ１２４ａ〜１２４ｃ、帯域通過フィルタ１２５ａ〜１２５ｃ、可変増幅器１２６ａ〜１２６ｃ、局部発振信号生成器２２７、ミキサ２２８ａ〜２２８ｃ、及び、ＩＦ信号出力端子２２９ａ〜２２９ｃを備えている。
【００３１】
本実施形態におけるＲＦフロントエンド２２では、可変増幅器１２６ａ〜１２６ｃの出力を一つの信号にまとめて一括でＩＦ帯にダウンコンバートせずに、可変増幅器１２６ａ〜１２６ｃの出力ごとにダウンコンバートする構成をとっている。ＲＦフロントエンド２２では、可変増幅器１２６ａ〜１２６ｃそれぞれに対応してミキサ２２８ａ〜２２８ｃ及びＩＦ信号出力端子２２９ａ〜２２９ｃが設けられている。なお、第１の実施形態におけるＲＦフロントエンド１２と同一の構成に対して同じ符号を付してその説明を省略する。
【００３２】
局部発振信号生成器２２７は、可変増幅器１２６ａ〜１２６ｃにおいて増幅された信号を所定のＩＦ帯に周波数変換するための局部発振信号を生成し、生成した局部発振信号をミキサ２２８ａ〜２２８ｃに供給する。
【００３３】
ミキサ２２８ａには、可変増幅器１２６ａにおいて増幅された信号と、局部発振信号生成器２２７から出力される局部発振信号とが入力される。ミキサ２２８ａは、可変増幅器１２６ａにおいて増幅された信号と局部発振信号とを乗算し、乗算により得られた信号をＩＦ信号出力端子２２９ａから信号処理部１３に出力する。ミキサ２２８ｂとミキサ２２８ｃには、可変増幅器１２６ｂと可変増幅器１２６ｃにおいて増幅された信号と、局部発振信号生成器２２７から出力される局部発振信号とが入力される。ミキサ２２８ｂとミキサ２２８ｃとは、ミキサ２２８ａと同様に、可変増幅器１２６ｂ、可変増幅器１２６ｃにおいて増幅された信号と局部発振信号とを乗算し、乗算により得られた信号をＩＦ信号出力端子２２９ｂ、ＩＦ信号出力端子２２９ｃから信号処理部１３に出力する。
【００３４】
図５は、本実施形態におけるＲＦフロントエンド２２における処理の概要を示す図である。同図において横軸は周波数を示し縦軸は電力レベルを示している。図５（Ａ）は、広周波数範囲の受信信号に含まれる異なる帯域幅及び周波数の無線信号を示している。同図に示すように、周波数の高い順に、中程度の帯域幅の無線信号、広い帯域幅の無線信号、狭い帯域幅の無線信号が広周波数範囲の受信信号に含まれている。
【００３５】
局部発振信号生成器１２３は、各無線信号を、それぞれの帯域幅に応じた帯域通過フィルタ１２５ａ〜１２５ｃの通過帯域に周波数変換されるように、ミキサ１２４ａ〜１２４ｃそれぞれに出力する局部発振信号の周波数を決定し、ミキサ１２４ａ〜１２４ｃに局部発振信号を入力する。局部発振信号生成器１２３から出力される各局部発振信号を用いて、ミキサ１２４ａ〜１２４ｃが受信信号を周波数変換することにより、受信信号に含まれていた各無線信号が、帯域幅（チャネル幅）に応じた帯域通過フィルタ１２５ａ〜１２５ｃの通過帯域にアップコンバートされる（図５（Ｂ）〜（Ｄ））。
【００３６】
本実施形態におけるＲＦフロントエンド２２では、帯域通過フィルタ１２５ａ〜１２５ｃの出力ごとにダウンコンバートをするためのミキサ２２８ａ〜２２８ｃを設ける構成としたので、帯域通過フィルタ１２５ａ〜１２５ｃの中心周波数を同一とすることができる。なお、帯域通過フィルタ１２５ａ〜１２５ｃの通過帯域の帯域幅は、検出対象となる無線信号に応じて定められる。中心周波数を同一とすることにより、帯域通過フィルタ１２５ａ〜１２５ｃの設計負荷を軽減することができる。また、ＩＦ帯にダウンコンバートする際の局部発振信号を共通化して、局部発振信号生成器２２７の構成を簡易化するようにしてもよい。
【００３７】
上述の各実施形態において説明したように、ＲＦフロントエンド１２及びＲＦフロントエンド２２は、広帯域低雑音増幅器１２２の後段に複数の周波数変換器（ミキサ１２４ａ〜１２４ｃ）を設け、各周波数変換器の後段に帯域幅の異なる帯域通過フィルタ１２５ａ〜１２５ｃを設けた点が特徴の一つである。周波数変換器が周波数帯の異なる無線信号を帯域通過フィルタ１２５ａ〜１２５ｃの通過帯域に合う周波数に変換することを可能にし、更に帯域幅の異なる帯域通過フィルタ１２５ａ〜１２５ｃを設けたことにより異なる周波数帯域幅を有する無線信号に対応することも可能にしている。これにより、可変帯域フィルタや、複数の帯域通過フィルタを切り替えて選択するスイッチなどの特殊な部品や技術を用いることなく、汎用の高周波アナログ部品を用いて広帯域な電波状況センシングを可能とする無線受信機を提供することができる。
【００３８】
以上、この発明の実施形態について図面を参照して詳述してきたが、具体的な構成はこの実施形態に限られるものではなく、この発明の要旨を逸脱しない範囲の設計等も含まれる。例えば、上述の実施形態では、帯域通過フィルタ１２５ａ〜１２５ｃを３つ設ける構成例を説明したが、２つ又は４つ以上の帯域通過フィルタを備える構成であってもよい。
【産業上の利用可能性】
【００３９】
異なる周波数帯域幅を有し異なる周波数帯の信号を、汎用の高周波アナログ部品を用いて抽出するが不可欠な用途にも適用できる。
【符号の説明】
【００４０】
１…無線受信機
１１…アンテナ
１２、２２…ＲＦフロントエンド
１３…信号処理部
１２１…ＲＦ信号入力端子
１２２…広帯域低雑音増幅器
１２３、１２７、２２７…局部発振信号生成器
１２４ａ、１２４ｂ、１２４ｃ…ミキサ（第１の周波数変換器）
１２５ａ、１２５ｂ、１２５ｃ…帯域通過フィルタ
１２６ａ、１２６ｂ、１２６ｃ…可変増幅器
１２８、２２８ａ、２２８ｂ、２２８ｃ…ミキサ（第２の周波数変換器）
１２９、２２９ａ、２２９ｂ、２２９ｃ…ＩＦ信号出力端子
【図１】
2014241542.tif 000003
【図２】
2014241542.tif 000004
【図３】
2014241542.tif 000005
【図４】
2014241542.tif 000006
【図５】
2014241542.tif 000007
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
受信信号を増幅して出力する低雑音増幅器と、
前記低雑音増幅器から出力される信号を周波数変換して出力する複数の第１の周波数変換器と、
前記複数の第１の周波数変換器それぞれに一つずつ接続されたフィルタであって前記第１の周波数変換器から出力される信号に対する通過帯域幅が異なる複数のフィルタと、
前記複数の第１の周波数変換器それぞれに周波数が異なる局部発振信号を供給する局部発振信号生成器と
を備え、
前記局部発振信号生成器は、センシング対象となる無線信号を前記複数のフィルタのうち当該無線信号の帯域幅に応じたフィルタの通過帯域に周波数変換する前記局部発振信号の周波数を決定し、該決定した周波数の局部発振信号を当該フィルタに接続された前記第１の周波数変換器に供給する
ことを特徴とする無線受信機。
【請求項２】
請求項１に記載の無線受信機において、
前記フィルタそれぞれから出力される信号を合成し、合成された信号を中間周波数帯に周波数変換する第２の周波数変換器
を更に備えることを特徴とする無線受信機。
【請求項３】
請求項１に記載の無線受信機において、
前記フィルタそれぞれに接続された第２の周波数変換器であって、接続された前記フィルタから出力される信号を中間周波数帯に周波数変換する複数の第２の周波数変換器
を更に備えることを特徴とする無線受信機。
【請求項４】
受信信号を増幅して出力する低雑音増幅器と、
前記低雑音増幅器から出力される信号を周波数変換して出力する複数の第１の周波数変換器と、
前記複数の第１の周波数変換器それぞれに一つずつ接続されたフィルタであって前記第１の周波数変換器から出力される信号に対する通過帯域幅が異なる複数のフィルタと、
前記複数の第１の周波数変換器それぞれに周波数が異なる局部発振信号を供給する局部発振信号生成器と
を備え、
前記局部発振信号生成器は、センシング対象となる無線信号を前記複数のフィルタのうち当該無線信号の帯域幅に応じたフィルタの通過帯域に周波数変換する前記局部発振信号の周波数を決定し、該決定した周波数の局部発振信号を当該フィルタに接続された前記第１の周波数変換器に供給する
ことを特徴とするＲＦフロントエンド。
【請求項５】
低雑音増幅器が、受信信号を増幅して出力する低雑音増幅ステップと、
局部発振信号生成器が、周波数が異なる局部発振信号を生成する局部発振信号生成ステップと、
複数の第１の周波数変換器が、それぞれ、前記低雑音増幅ステップにおいて出力される信号に対して、前記周波数が異なる局部発振信号ごとに、当該局部発振信号を用いて周波数変換をして出力する第１の周波数変換ステップと、
複数のフィルタが、それぞれ、前記第１の周波数変換ステップにおける周波数変換で得られた信号ごとに、当該信号から異なる帯域幅の信号を抽出するフィルタリングステップと
を有し、
前記局部発振信号生成ステップでは、センシング対象となる無線信号を前記複数のフィルタのうち当該無線信号の帯域幅に応じたフィルタの通過帯域に周波数変換する前記局部発振信号の周波数を決定し、該決定した周波数の局部発振信号を当該フィルタに接続された前記第１の周波数変換器に供給する
ことを特徴とする信号処理方法。